(57)【要約】【課題】  肌表面に対する外刃の圧力と回転体の圧力とを調整できる電気かみそりを提供する。【解決手段】本発明に係る電気かみそり１は、肌表面４１に接触する外刃１５を支持する外刃カセット２５と、肌表面４１に接触しながら回転するローラ３１の回転支持軸３５を支持するローラ支持ブラケット３３と、回動可能に支持されるとともに、外刃カセット２５とローラ支持ブラケット３３とを連結する連結機構５０を備える。【選択図】図１
2013063232.tif 000002
【特許請求の範囲】
【請求項１】
肌表面に接触する外刃を支持する外刃支持部と、
前記肌表面に接触しながら回転する回転体の回転軸を支持する回転軸支持部とを備える電気かみそりであって、
前記外刃支持部と前記回転軸支持部とを連結するとともに、前記外刃及び前記回転体を相反する方向に沿って移動させる連結機構をさらに備えることを特徴とする電気かみそり。
【請求項２】
請求項１に記載の電気かみそりであって、
前記連結機構は、剛体からなるリンク材によって形成され、前記外刃支持部と前記回転軸支持部との間で回動することを特徴とする電気かみそり。
【請求項３】
請求項１又は請求項２に記載の電気かみそりであって、
前記連結機構は、
前記外刃支持部に固定される外刃側固定部と、
前記回転軸支持部に固定される軸側固定部と、
前記連結機構を回動可能に支持する回動支持部とを備え、
前記回動支持部は、前記外刃側固定部と前記軸側固定部との中心位置に設けられることを特徴とする電気かみそり。
【請求項４】
請求項１乃至請求項３の何れかに記載の電気かみそりであって、
前記連結機構には、前記回動支持部の軸方向に直交する直交方向に対して、前記回動支持部が嵌合される嵌合部が複数形成され、
前記連結機構の回動中心軸は、複数の前記嵌合部の何れかに嵌合されることを特徴とする電気かみそり。
【発明の詳細な説明】
【技術分野】
【０００１】
本発明は、電気かみそりに関する。
【背景技術】
【０００２】
従来から、外刃を肌表面に押し当てながら移動させる際に、外刃と肌表面との間の摩擦力（外刃表面が肌表面に及ぼす摩擦力）を低減させる電気かみそりについて、様々な提案がなされている。
【０００３】
例えば、肌表面に接触しながら、外刃の延在方向に直交する直交方向に対して回転する回転体を備えた電気かみそりが知られている（例えば、特許文献１参照）。この回転体は、外刃よりも肌表面側に突出し、スプリング（弾性体）によって支持されている。これにより、回転体がスプリングにより肌表面に押し付けられて回転するため、外刃と肌表面との間の摩擦力を低減できる。
【先行技術文献】
【特許文献】
【０００４】
【特許文献１】特開２００９−２３２８９４号公報（第２〜第３頁、第１及び第２図）
【発明の概要】
【発明が解決しようとする課題】
【０００５】
しかしながら、上述した従来の電気かみそりでは、回転体が外刃に対して独立した状態で支持されている。このため、肌表面の凹凸に対する外刃の圧力と回転体の圧力とが異なる場合、外刃と肌表面との摩擦力が高くなって体毛を短く剃り過ぎてしまうことや、外刃と肌表面との摩擦力が低くなって体毛を短く剃れないという現象が生じてしまう。
【０００６】
そこで、本発明は、肌表面に対する外刃の圧力と回転体の圧力とを調整できる電気かみそりの提供を目的とする。
【課題を解決するための手段】
【０００７】
上述した課題を解決するため、本発明は、次のような特徴を有している。まず、本発明の第１の特徴は、肌表面に接触する外刃を支持する外刃支持部と、前記肌表面に接触しながら回転する回転体の回転軸を支持する回転軸支持部とを備える電気かみそりであって、前記外刃支持部と前記回転軸支持部とを連結するとともに、前記外刃及び前記回転体を相反する方向に沿って移動させる連結機構をさらに備えることを要旨とする。
【０００８】
かかる特徴によれば、連結機構は、外刃支持部と回転軸支持部とを連結するとともに、外刃及び回転体を相反する方向に沿って移動させる。これにより、肌表面の凹凸に対する外刃の圧力と回転体の圧力とが異なる場合であっても、肌表面に対する外刃の圧力と回転体の圧力とが調整されて、外刃の圧力と回転体の圧力とが均等になる。従って、外刃と肌表面との摩擦力が高くなることや低くなることを防止でき、体毛を短く剃り過ぎてしまうことや、逆に体毛を短く剃れないという現象を防止できる。
【０００９】
本発明の第２の特徴は、本発明の第１の特徴に係り、前記連結機構は、剛体からなるリンク材によって形成され、前記外刃支持部と前記回転軸支持部との間で回動することを要旨とする。
【００１０】
かかる特徴によれば、連結機構は、剛体からなるリンク材によって形成され、外刃支持部と回転軸支持部との間で回動する。これにより、連結機構による外刃支持部と回転軸支持部との伝達にロスが生じにくくなり、外刃の圧力と回転体の圧力とを調整し易くなる。このため、外刃と肌表面との摩擦力を最適に保つことができ、体毛を短く剃り過ぎてしまうことや、逆に体毛を短く剃れないという現象をより確実に防止できる。
【００１１】
本発明の第３の特徴は、本発明の第１又は第２の特徴に係り、前記連結機構は、前記外刃支持部に固定される外刃側固定部と、前記回転軸支持部に固定される軸側固定部、前記連結機構を回動可能に支持する回動支持部とを備え、前記回動支持部は、前記外刃側固定部と前記軸側固定部との中心位置に設けられることを要旨とする。
【００１２】
かかる特徴によれば、回動支持部は、外刃側固定部と軸側固定部との中心位置に設けられる。これにより、連結機構の回動中心軸を中心とする回転モーメントが打ち消される際、外刃の圧力と回転体の圧力とを確実に均等にすることができる。このため、外刃と肌表面との摩擦力が高くなり過ぎることや低くなり過ぎることをより確実に防止できる。
【００１３】
本発明の第４の特徴は、本発明の第１乃至第３の特徴に係り、前記連結機構には、前記回動支持部の軸方向に直交する直交方向に対して、前記回動支持部が嵌合される嵌合部が複数形成され、前記連結機構の回動中心軸は、複数の前記嵌合部の何れかに嵌合されることを要旨とする。
【００１４】
かかる特徴によれば、連結機構の回動中心軸は、複数の嵌合部の何れかに嵌合される。つまり、連結機構の回動中心軸を可変でき、使用者の好みに合わせて外刃の圧力と回転体の圧力とを変更できる。すなわち、外刃の圧力を大きくして、体毛を短く剃ることができる。一方、回転体の圧力を大きくして、外刃に形成される孔に肌が入り込むことを防止して肌の保護を実現することができる。
【発明の効果】
【００１５】
本発明の特徴によれば、肌表面に対する外刃の圧力と回転体の圧力とを調整できる電気かみそりを提供することができる。
【図面の簡単な説明】
【００１６】
【図１】第１実施形態に係る電気かみそり１の刃ユニット１７の断面図である。
【図２】第１実施形態に係るローラ３１の動作を示す断面図である。
【図３】第２実施形態に係る電気かみそり１の刃ユニット１７の断面図である。
【図４】第３実施形態に係る電気かみそり１の刃ユニット１７の断面図である。
【発明を実施するための形態】
【００１７】
次に、本発明に係る電気かみそりの実施形態について、図面を参照しながら説明する。具体的には、（１）第１実施形態、（２）第２実施形態、（３）第３実施形態、（４）その他の実施形態について説明する。
【００１８】
なお、以下の図面の記載において、同一または類似の部分には、同一または類似の符号を付している。ただし、図面は模式的なものであり、各寸法の比率などは現実のものとは異なることに留意すべきである。
【００１９】
したがって、具体的な寸法などは以下の説明を参酌して判断すべきである。また、図面相互間においても互いの寸法の関係や比率が異なる部分が含まれ得る。
【００２０】
（１）第１実施形態
（電気かみそりの全体構成）
まず、第１実施形態に係る電気かみそり１の構成について、図面を参照しながら説明する。図１は、第１実施形態に係る電気かみそり１の刃ユニット１７の断面図である。
【００２１】
図１に示すように、電気かみそり１は、使用者が把持するグリップ部２の先端側に連結されるヘッド部３を備え、このヘッド部３には、刃ヘッドハウジング７が設けられている。
【００２２】
刃ヘッドハウジング７は、外カバー９と、外カバー９の内側に位置する回転軸支持部としての中心ボス部１１とを備えている。外カバー９と中心ボス部１１との間の２箇所の領域には、内刃１３と、その外側に位置して肌表面４１に接触する外刃１５とを有する一対の刃ユニット１７が設けられている。
【００２３】
内刃１３の下端は、内刃カセット１４に支持され、内刃カセット１４の下部は、モータなどを備える振動源（不図示）と連結される駆動軸１９に、連結ロッド２１を介して連結される。
【００２４】
また、内刃１３と駆動軸１９との間には、内刃１３を外刃１５の内面に押し付けるスプリング２３が介装されている。このスプリング２３は、連結ロッド２１に対して内刃カセット１４を上方向に付勢している。これにより、内刃１３は、スプリング２３によって外刃１５の内面に押し付けられながら、振動源（不図示）によって駆動軸１９、連結ロッド２１及び内刃カセット１４を介して外刃１５の延在方向（図面の奥行方向）に振動する。
【００２５】
外刃１５は、直径数百μｍ程度の無数の孔を有する網状によって形成されている。外刃１５の内側には、上述した内刃１３が配置されている。つまり、外刃１５に対して内刃１３が相対移動（外刃１５の延在方向に往復動）することによって、これらの内刃１３と外刃１５とが協働して体毛３９を切断する。
【００２６】
外刃１５は、断面Ｕ字形状によって形成されており、外刃１５を支持する外刃支持部としての外刃カセット２５に保持されている。外刃カセット２５は、内刃１３の全体を内方する形状を有し、外刃カセット２５の下端が外刃カセット基部４３となっている。また、外刃カセット２５の端部外側には、係止突部２６が設けられ、係止突部２６は、外カバー９の内面及び中心ボス部１１の側面にそれぞれ設けられる係止部２７，２９に係止される。これにより、外刃１５を保持する外刃カセット２５は、上方への抜け止めがなされる。
【００２７】
中心ボス部１１は、刃ヘッドハウジング７の底板７ａに固定され、この中心ボス部１１の先端には、肌表面４１に接触しながら回転する回転体としてのローラ３１が設けられている。ローラ３１の先端は、外刃１５の先端面よりも肌表面４１側に突出されている。ローラ３１は、回転軸支持部としてのローラ支持ブラケット３３の先端に固定される回転支持軸３５に回転可能に取り付けられている。
【００２８】
ローラ支持ブラケット３３は、中心ボス部１１に形成された空間１１ａ内に基端側を移動可能に挿入され、先端側が中心ボス部１１の先端に形成された開口部１１ｂから外部に突出されている。またローラ支持ブラケット３３は、空間１１ａ内に大径部３３ａを備え、大径部３３ａが開口部１１ｂに引っ掛かることで、ローラ３１が抜け止めされる。
【００２９】
ここで、ローラ支持ブラケット３３と外刃カセット基部４３とは、連結機構５０を介して連結されている。連結機構５０は、外刃１５及びローラ３１を相反する上下方向に沿って移動させる。連結機構５０は、刃ヘッドハウジング７の底板７ａから上方に突出する刃ユニット１７内に設けられた底板突起部７ｂに回動可能に固定されている。また、連結機構５０は、剛体からなる板状のリンク材によって形成され、ローラ支持ブラケット３３と外刃カセット基部４３との間で回動可能である。
【００３０】
具体的には、連結機構５０は、外刃カセット基部４３に固定される外刃側固定部５１と、ローラ支持ブラケット３３に固定される軸側固定部５２と、底板突起部７ｂに固定されて連結機構５０を回動可能に支持する回動中心軸としての回動支持部５３とを備えている。
【００３１】
なお、本実施形態では、回動支持部５３は、外刃側固定部５１よりも軸側固定部５２に近い位置に設けられている。すなわち、回動支持部５３から外刃側固定部５１までの距離Ａは、回動支持部５３から軸側固定部５２までの距離Ｂよりも長い。
【００３２】
（連結機構の動き）
次に、上述した連結機構５０の動きについて、図面を参照しながら説明する。図２（ａ）は、ローラ３１が肌表面４１に接触した瞬間を示す断面図であり、図２（ｂ）は、ローラ３１が下方に移動した状態を示す断面図である。
【００３３】
図２（ａ）に示すように、凹凸の肌表面４１にローラ３１が垂直に押し付けられると、肌表面４１に対する外刃１５の圧力６０ａとローラ３１の圧力６０ｂとに差が生じる（６０ａ＞６０ｂ）。
【００３４】
そして、図２（ｂ）に示すように、外刃１５の圧力６０ａとローラ３１の圧力６０ｂとに差が生じている場合、連結機構５０の回動支持部５３を中心とする回転モーメント６０ｃが打ち消される。このため、肌表面４１に対する外刃１５の圧力６０ａとローラ３１の圧力６０ｂとが調整されて、外刃１５の圧力６０ａとローラ３１の圧力６０ｂとが均等になる。
【００３５】
（作用・効果）
以上説明した第１実施形態では、連結機構５０は、外刃カセット基部４３とローラ支持ブラケット３３とを連結するとともに、外刃１５及びローラ３１を相反する方向に沿って移動させる。これにより、肌表面４１の凹凸に対する外刃１５の圧力６０ａとローラ３１の圧力６０ｂとが異なる場合であっても、肌表面４１に対する外刃１５の圧力６０ａと回転体の圧力６０ｂとが調整されて、外刃１５の圧力６０ａと回転体の圧力６０ｂとが均等になる。従って、外刃１５と肌表面４１との摩擦力が高くなることや低くなることを防止でき、体毛３９を短く剃り過ぎてしまうことや、逆に体毛３９を短く剃れないという現象を防止できる。
【００３６】
また、第１実施形態では、連結機構５０は、剛体からなるリンク材によって形成され、外刃カセット基部４３とローラ支持ブラケット３３との間で回動する。これにより、連結機構５０による外刃カセット基部４３とローラ支持ブラケット３３との伝達にロスが生じにくくなり、外刃１５の圧力６０ａと回転体の圧力６０ｂとを調整し易くなる。このため、外刃１５と肌表面４１との摩擦力を最適に保つことができ、体毛３９を短く剃り過ぎてしまうことや、逆に体毛３９を短く剃れないという現象をより確実に防止できる。
【００３７】
（２）第２実施形態
次に、第２実施形態に係る電気かみそり１について、図面を参照しながら説明する。図３は、第２実施形態に係る電気かみそり１の刃ユニット１７の断面図である。なお、上述した第１実施形態に係る電気かみそり１と同一部分には同一の符号を付して、相違する部分を主として説明する。
【００３８】
上述した第１実施形態では、回動支持部５３は、外刃側固定部５１よりも軸側固定部５２に近い位置に設けられている。これに対して、第２実施形態では、回動支持部５３は、外刃側固定部５１と軸側固定部５２との中心位置に設けられる。
【００３９】
具体的には、図３に示すように、外刃側固定部５１は、外刃１５の延在方向に直交する直交方向（図面の左右方向）の中心に位置している。同様に、軸側固定部５２は、回転支持軸３５の軸方向（外刃１５の延在方向と同方向）に直交する直交方向の中心に位置する。すなわち、外刃カセット基部４３は、外刃１５の直交方向の中央に設けられ、ローラ支持ブラケット３３は、回転支持軸３５の直交方向の中央に設けられている。
【００４０】
また、回動支持部５３から外刃側固定部５１までの距離Ａは、回動支持部５３から軸側固定部５２までの距離Ｂと同等である。すなわち、回動支持部５３の中心から外刃カセット基部４３の中央までの距離は、回動支持部５３の中心からローラ支持ブラケット３３の中央までの距離と同等である。
【００４１】
以上説明した第２実施形態では、回動支持部５３は、外刃側固定部５１と軸側固定部５２との中心位置に設けられる。これにより、連結機構５０の回動支持部５３を中心とする回転モーメント６０ｃが打ち消される際、外刃１５の圧力６０ａとローラ３１の圧力６０ｂとを確実に均等にすることができる。このため、外刃１５と肌表面４１との摩擦力が高くなり過ぎることや低くなり過ぎることをより確実に防止できる。
【００４２】
（３）第３実施形態
次に、第３実施形態に係る電気かみそり１について、図面を参照しながら説明する。図４は、第３実施形態に係る電気かみそり１の刃ユニット１７の断面図である。なお、上述した第１，第２実施形態に係る電気かみそり１と同一部分には同一の符号を付して、相違する部分を主として説明する。
【００４３】
上述した第１，第２実施形態では、回動支持部５３は、底板突起部７ｂに固定されている。これに対して、第３実施形態では、回動支持部５３は、可変可能である。
【００４４】
具体的には、図４に示すように、連結機構５０には、回動支持部５３の軸方向に直交する直交方向に対して、回動支持部５３が嵌合される嵌合部としての嵌合溝５４が複数形成されている。そして、回動支持部５３は、複数の嵌合溝５４の何れかに嵌合される。
【００４５】
以上説明した第３実施形態では、回動支持部５３は、複数の嵌合溝５４の何れかに嵌合される。つまり、連結機構５０の回動中心軸を可変でき、使用者の好みに合わせて外刃１５の圧力６０ａとローラ３１の圧力６０ｂとを変更できる。すなわち、外刃１５の圧力６０ａを大きくして、体毛３９を短く剃ることができる。一方、ローラ３１の圧力６０ｂを大きくして、外刃１５に形成される孔に肌が入り込むことを防止して肌の保護を実現することができる。
【００４６】
ここで、嵌合部は、必ずしも嵌合溝５４である必要はなく、回動支持部５３が挿通されて嵌合される孔などであってもよい。
【００４７】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００４８】
例えば、本発明の実施形態は、次のように変更することができる。具体的には、電気かみそり１は、上述した実施形態で説明したものに限定されるものではない。例えば、電気かみそり１は、少なくとも外刃支持部としての外刃カセット２５と、回転軸支持部としてのローラ支持ブラケット３３とを備える電気かみそりであればよい。
【００４９】
また、連結機構５０は、ローラ支持ブラケット３３に直接連結されているものとして説明したが、これに限定されるものではない。例えば、連結機構５０は、何らかの部材を介してローラ支持ブラケット３３に連結されていてもよい。
【００５０】
また、連結機構５０は、図面左側の外刃カセット基部４３とローラ支持ブラケット３３とを連結するものとして説明したが、これに限定されるものではない。例えば、連結機構５０は、図面右側の外刃カセット基部４３とローラ支持ブラケット３３とを連結していてもよく、また、両方の外刃カセット基部４３とローラ支持ブラケット３３とを連結していてもよい。
【００５１】
また、連結機構５０は、剛体からなるリンクによって形成されるものとして説明したが、これに限定されるものではない。例えば、連結機構５０は、油圧式や弾性体（例えば、バネ）、ギア機構等であってもよく、外刃１５及びローラ３１を相反する方向に沿って移動させる機構であればよい。
【００５２】
また、連結機構５０は、所定の位置でロックされるロック機構（係合部やギア部等）を備えていてもよい。例えば、使用者の好みに合わせて外刃１５の圧力６０ａとローラ３１の圧力６０ｂとが所定の圧力となるように、連結機構５０がロックされてもよい。
【００５３】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００５４】
１…電気かみそり
１３…内刃
１４…内刃カセット
１５…外刃
２５…外刃カセット（外刃支持部）
３１…ローラ（回転体）
３３…ローラ支持ブラケット（回転軸支持部）
３５…回転支持軸（回転軸）
４３…外刃カセット基部
５０…連結機構
５１…外刃側固定部
５２…軸側固定部
５３…回動支持部
５４…嵌合溝（嵌合部）
【図１】
2013063232.tif 000003
【図２】
2013063232.tif 000004
【図３】
2013063232.tif 000005
【図４】
2013063232.tif 000006